(57)【要約】【課題】賃貸住宅や一般住宅等で使用されているバスルームの補修方法に於て、簡易且つ安価にリフォームできる様にする。【解決手段】床壁２と側壁３と天井壁４とドア６と浴槽７とを備えたバスルーム１に於ける浴室構成面８の損傷箇所９を補修する方法であって、表面には浴室構成面８と同じ色彩が施されていると共に裏面には粘着層１３が付設されて所定の大きさを備えた強化プラスチック製の薄板１０を適宜の大きさに切断した後、粘着層１３に依り浴室構成面８の損傷箇所９を覆うべく貼着する。【選択図】        図１
2004176397.tif 000002
【特許請求の範囲】
【請求項１】
床壁と側壁と天井壁とドアと浴槽とを備えたバスルームに於ける浴室構成面の損傷箇所を補修する方法であって、表面には浴室構成面と同じ色彩が施されていると共に裏面には粘着層が付設されて所定の大きさを備えた強化プラスチック製の薄板を適宜の大きさに切断した後、粘着層に依り浴室構成面の損傷箇所を覆うべく貼着する様にした事を特徴とするバスルームの補修方法。
【請求項２】
表面には任意の模様や色彩が施されていると共に裏面には粘着層が付設されて所定の大きさを備えた防水性のシートを適宜の大きさに切断した後、粘着層に依り浴室構成面の所望箇所に貼着する様にした請求項１に記載のバスルームの補修方法。
【請求項３】
スプレーガンから防水性の塗料を噴射して浴室構成面の所望箇所を塗装する様にした請求項１又は請求項２に記載のバスルームの補修方法。
【発明の詳細な説明】
【０００１】
【発明の属する技術分野】
本発明は、例えば賃貸住宅や一般住宅等で使用されているバスルームの補修方法の改良に関する。
【０００２】
【従来の技術】
アパート等の賃貸住宅や一般住宅で使用されているユニットバスルームを含むバスルームは、経年使用後には、浴室構成面が汚れたり傷が付いたり錆びたりして所謂損傷箇所が発生し、修繕せねばならなくなる。
従来、この種のバスルームの補修方法としては、例えば、特許文献１に記載されたものが知られている。
これは、損傷箇所に充填物を充填した後、圧着用接着剤を塗布してタイルを付着した上、タイルの回りを防水用充填剤で目地止めする様にしたものである。
【０００３】
【特許文献１】
特許第２８７５７６７号公報
【０００４】
【発明が解決しようとする課題】
然しながら、この様なものは、補修箇所がユニットバスルームの壁の裾部だけに限られると共に、工程が多いので、時間と費用が掛かり、簡易且つ安価にリフォームする事が難しかった。
本発明は、叙上の問題点に鑑み、これを解消する為に創案されたもので、その課題とする処は、簡易且つ安価にリフォームする事ができるバスルームの補修方法を提供するにある。
【０００５】
【課題を解決するための手段】
本発明のバスルームの補修方法は、基本的には、床壁と側壁と天井壁とドアと浴槽とを備えたバスルームに於ける浴室構成面の損傷箇所を補修する方法であって、表面には浴室構成面と同じ色彩が施されていると共に裏面には粘着層が付設されて所定の大きさ（形状も含む、以下同様）を備えた強化プラスチック製の薄板を適宜の大きさに切断した後、粘着層に依り浴室構成面の補修箇所を覆うべく貼着する様にした事に特徴が存する。
【０００６】
予め、表面には浴室構成面と同じ色彩が施されていると共に裏面には粘着層が付設されて所定の大きさを備えた強化プラスチック製の薄板を用意して置く。そして、この薄板を浴室構成面の補修箇所を覆う大きさに切断した後、その裏面に付着されている粘着層を利用して浴室構成面の補修箇所を覆うべく貼着する。この様にすれば、薄板に依り補修箇所を覆い隠す事ができる。
薄板には、予め粘着層が付設してあるので、直ちに貼着する事ができる。接着剤を用いる場合に比べて、現場で接着剤を塗布する必要がないと共に、接着剤が乾くまで待つ必要もない。この為、施工の簡単化と時間の短縮を図る事ができる。
薄板は、所定の大きさを備えたものを適宜の大きさに切断して使用するので、タイルの様に一定の大きさのものを適数使用する場合に比べて、補修箇所の大きさに容易に呼応させる事ができる。
【０００７】
表面には任意の模様や色彩が施されていると共に裏面には粘着層が付設されて所定の大きさを備えた防水性のシートを適宜の大きさに切断した後、粘着層に依り浴室構成面の所望箇所に貼着する様にしても良い。この様にすれば、シートに依り損傷箇所を覆い隠す事ができるだけでなく、その他の浴室構成面（補修後の薄板や塗料を含む）にもシートを貼着できるので、これの表面に施されている任意の模様や色彩に依り所謂模様替えを行なう事ができる。
【０００８】
スプレーガンから防水性の塗料を噴射して浴室構成面の所望箇所を塗装する様にしても良い。この様にすれば、塗料に依り補修箇所を覆い隠す事ができるだけでなく、その他の浴室構成面（補修後の薄板やシートを含む）にも塗料を塗布できるので、所謂模様替えを行なう事ができる。
【０００９】
【発明の実施の形態】
以下、本発明の実施の形態を、図面に基づいて説明する。
図１は、本発明の補修方法を実施するに適したバスルームを示す略式斜視図。図２は、薄板を示す斜視図。図３は、薄板に依る補修状態を示す縦断側面図。図４は、シートを示す斜視図。図５は、シートに依る補修状態を示す縦断側面図である。
【００１０】
バスルーム１は、図１に示す如く、床壁２と、四周の側壁３と、これらの上方を覆う天井壁４と、一方の側壁３に形成された出入口５と、これを開閉するドア６と、隅角部に配置された浴槽７等を備えている。
前記床壁２と側壁３と天井壁４とドア６の各内面と浴槽７の表面は、浴室構成面８を為している。
【００１１】
バスルーム１は、経年使用後には、浴室構成面８が汚れたり傷が付いたり錆びたりして所謂損傷箇所９が発生する。
損傷箇所９は、後述する薄板１０やシート１１や塗料１２に依り補修される。補修に際しては、補修箇所９の汚れをできるだけ落としたり、傷を埋めたり、錆が拡がらない様に防錆処理を施したりするのが望ましい。
【００１２】
薄板１０は、表面には浴室構成面８と同じ色彩が施されていると共に裏面には粘着層１３が付設されて所定の大きさを備えた強化プラスチック（ＦＲＰ）製のもので、この例では、図２に示す如く、浴室構成面８と同色の強化プラスチック製の板材１４と、これの裏面に付設された粘着層１３と、これを保護する保護シート１５とを備えている。
板材１４は、具体的には、長さ３ｍ、幅２０ｃｍ、厚さ１ｍｍにしてある。粘着層１３と保護シート１５は、両面粘着テープが用いられて居り、これの一方の保護シート１５を剥がして粘着層１３を板材１５の裏面に貼着する事に依り構成している。
【００１３】
薄板１０を使用する場合は、損傷箇所９に呼応して適宜の大きさが得られる様に、図２に示す如く、鋏等の切断具（図示せず）に依り切断した後、図３に示す如く、保護シート１５を剥がして粘着層１３を露出させ、これに依り損傷箇所９を覆う様にその浴室構成面８に貼着する。
損傷箇所９が深い場合には、予めこれを埋める様に、防カビ剤が配合されているシリコン等の防水用充填剤を充填して置いても良い。
【００１４】
シート１１は、表面には任意の模様や色彩が施されていると共に裏面には粘着層１６が付設されて所定の大きさを備えている防水性のもので、この例では、図４に示す如く、可撓性を有する合成樹脂製のシート材１７と、これの裏面に付設された粘着層１６と、これを保護する保護シート１８とを備えている。
シート材１７は、具体的には、長さ２ｍ、幅１ｍ、厚さ０．５ｍｍにしてある。粘着層１６と保護シート１８は、前記薄板１０と同様に、両面粘着テープが用いられて居り、これの一方の保護シート１８を剥がして粘着層１６をシート材１７の裏面に貼着する事に依り構成している。
【００１５】
シート１１を使用する場合は、適宜の大きさが得られる様に、鋏等の切断具（図示せず）に依り切断した後、図５に示す如く、保護シート１８を剥がして粘着層１６を露出させ、これに依り浴室構成面８の所望箇所に貼着する。シート１１は、これに依り損傷箇所９を覆ったり、損傷箇所９がない処を覆ったり、薄板１０や塗料１２の上を覆ったりする事ができ、比較的面積の大きい汚れ等の損傷箇所９を隠す場合に用いられ、所謂模様替えを行なう際に最適である。
【００１６】
塗料１２は、スプレーガン１９から噴射されて浴室構成面８の所望箇所を塗装する防水性のもので、この例では、圧縮空気に依り適宜の色彩を備えた塗料１２を噴射して塗装できる様にしてある。スプレーガン１９には、周知の如く、ホース２０を介してコンプレッサ（図示せず）等が接続されている。
【００１７】
塗料１２を使用する場合は、損傷箇所９を含む所望箇所にスプレーガン１９を向けて所定量の塗料１２を噴射する。そうすると、浴室構成面８の所望箇所に塗料１２を塗着させる事ができる。塗料１２は、シート１１と同様に、これに依り損傷箇所９を覆ったり、損傷箇所９がない処を覆ったり、薄板１０やシート１１の上を覆ったりする事ができ、比較的面積の大きい汚れ等の損傷箇所９を隠す場合に用いられ、所謂模様替えを行なう際に最適である。
【００１８】
尚、薄板１０及びシート１１の大きさは、先の例に限定される事はなく、適宜変更が可能である。
【００１９】
【発明の効果】
以上、既述した如く、本発明に依れば、次の様な優れた効果を奏する事ができる。
（１）  床壁と側壁と天井壁とドアと浴槽とを備えたバスルームに於ける浴室構成面の損傷箇所を補修する方法であって、表面には浴室構成面と同じ色彩が施されていると共に裏面には粘着層が付設されて所定の大きさを備えた強化プラスチック製の薄板を適宜の大きさに切断した後、粘着層に依り浴室構成面の損傷箇所を覆うべく貼着する様にしたので、簡易且つ安価にリフォームする事ができる。
【図面の簡単な説明】
【図１】本発明の補修方法を実施するに適したバスルームを示す略式斜視図。
【図２】薄板を示す斜視図。
【図３】薄板に依る補修状態を示す縦断側面図。
【図４】シートを示す斜視図。
【図５】シートに依る補修状態を示す縦断側面図。
【符号の説明】
１…バスルーム、２…床壁、３…側壁、４…天井壁、５…出入口、６…ドア、７…浴槽、８…浴室構成面、９…損傷箇所、１０…薄板、１１…シート、１２…塗料、１３，１６…粘着層、１４…板材、１５，１８…保護シート、１７…シート材、１９…スプレーガン、２０…ホース。
【図１】
2004176397.tif 000003
【図２】
2004176397.tif 000004
【図３】
2004176397.tif 000005
【図４】
2004176397.tif 000006
【図５】
2004176397.tif 000007